(57)【要約】      （修正有）【課題】床基盤上に設置してフリーアクセスフロア用床パネルのコーナー部を所定の床高さに支持する支持脚を提供する。【解決手段】支持脚は、床基盤上に載置されるベースプレート１と、ベースプレート１に下端を固定した支柱２と、支柱２へねじ接合したパネル受部３とで構成している。パネル受部３は、床パネルのコーナー部が載置される上板部材４と、支柱２とねじ接合する雌ねじ部８’を備え上板部材４を支持する下板部材５とから成る。下板部材５は、１枚の鋼板の冷間深絞りと据え込みのプレス加工により成形されており、上板部材４と水平に重ね合わされる水平板部６と、水平板部６に連続してその中央部を下向きに突き出された漏斗状部７と、漏斗状部７の下端に円筒状に形成され内周面に雌ねじ８’を加工された円筒部８とから成り、円筒部８の板厚は漏斗状部７の板厚よりも厚く据え込み成形されている。【選択図】図２
2005290672.tif 000002
【特許請求の範囲】
【請求項１】
床基盤上に設置して床パネルを所定の床高さに支持する支持脚であって、該支持脚は、床基盤上に載置されるベースプレートと、前記ベースプレートに下端を固定して垂直に立てられた外周に雄ねじを有する支柱と、前記支柱へねじ接合されたパネル受部とから成り、
前記パネル受部は、床パネルのコーナー部が載置される上板部材と、支柱とねじ接合する雌ねじ部を備え前記上板部材を支持する下板部材とから成ること、
前記下板部材は、１枚の鋼板の冷間深絞りと据え込みのプレス加工により成形されており、前記上板部材と水平に重ね合わされる水平板部と、前記水平板部に連続して中央部を下向きに突き出された漏斗状部と、漏斗状部の下端に垂直下向きの円筒状に形成され内周面に雌ねじを加工された円筒部とから成り、該円筒部の板厚は前記漏斗状部の板厚よりも厚く据え込み成形されていることを特徴とする、フリーアクセスフロア用床パネルの支持脚。
【請求項２】
前記漏斗状部は、逆円錐台形状に形成されていることを特徴とする、請求項１に記載したフリーアクセスフロア用床パネルの支持脚。
【請求項３】
前記上板部材は、上方から見ると十字状をなす隆起部と、下板部材に当接される平坦部とを有し、前記十字状隆起部の交点部に下向きの円筒部が形成され、該円筒部の内周面に雌ねじが加工されていることを特徴とする、請求項１又は２のいずれかに記載したフリーアクセスフロア用床パネルの支持脚。
【請求項４】
前記上板部材と下板部材とは、上板部材の平坦部の位置を下向きのスポット的なかしめ接合により一体的に接合されていることを特徴とする、請求項３に記載したフリーアクセスフロア用床パネルの支持脚。
【請求項５】
前記かしめ接合は、下板部材の水平板部に下孔をあけ、該下孔の位置で上板部材を下孔の口縁内に沿って延伸し、該延伸部の先端を前記下板部材の下面側に折り返した構成であることを特徴とする、請求項４に記載したフリーアクセスフロア用床パネルの支持脚。
【発明の詳細な説明】
【技術分野】
【０００１】
この発明は、床基盤上に設置してフリーアクセスフロア用床パネルのコーナー部を所定の床高さに支持する支持脚の技術分野に属し、更に云えば、床基盤上に載置されるベースプレートと、前記ベースプレートに下端を固定して垂直に立てられた外周に雄ねじを有する支柱と、前記支柱へねじ接合されたパネル受部とから成る床パネルの支持脚に関する。
【背景技術】
【０００２】
方形の床パネルを碁盤目状に敷き並べ、碁盤目交点の位置で床パネルを共通の支持脚で支持するフリーアクセスフロアを施工する際、前記床パネルを同一の高さに支持する必要がある。通例コンクリート仕上げされた床基盤の不陸は数１０ｍｍに及ぶのが一般的であり、特定の支持脚で高さ調節ができる範囲は限られているため、予め高さが異なる数種の支持脚を用意し、床基盤の不陸に応じて選択し使い分けている。
したがって、支持脚の高さ調節の可能範囲が大きければ、予め用意する支持脚の種類は少なくて済むこととなる。
【０００３】
フリーアクセスフロア用床パネルのコーナー部を所定の床高さに支持する高さ調節機能を備えた支持脚は種々公知であり実用に供されている。例えば特許文献１に開示された支持脚は、下端をベースプレートに固定されて直立する支柱の上部に平面視が円形で略水平なパネル受部を設けた構成である。前記パネル受部の下面部にナットが溶接されており、このナットを支柱へねじ込み回すことにより、床パネルの床高さを調節する構成である。前記パネル受部は、床パネルのコーナー部を載置する上板部材と、該上板部材を支える下板部材とをスポット溶接で一体的に接合した構成である。
特許文献２に開示された支持脚は、パネル受部の支持に長ナットを採用して、床高さの調節代を大きくした構成である。
【０００４】
特許文献３に開示された支持脚は、プレス加工で角筒状に成形された長いパイプ材の
下端部を円筒状の細径部に絞り、その内周面に雌ねじを加工して支柱へねじ接合し床高さの調節代を大きくした構成である。前記パイプ材の上部外周面に鍔状部が形成され、該鍔状部の上へ中央部分を椀形状とした下板部材の中心部の孔を嵌め込み、その上側に上段の鍔状部を成形して下板部材の孔縁を挟持するようにかしめ接合されている。前記パイプ材の上端部には、プレス成形された係合部材の筒部が嵌め込まれ、１８０°対称の位置を内方へ打ち出すようにかしめて固定されている。下板部材の上に支持された床パネルのコーナー部は、上板部材の中心部を下向きに貫通された押えねじを前記係合部材へねじ込み固定される。
【０００５】
特許文献４に開示された支持脚は、ベースプレートへ上向きに通した支柱の頭をベースプレートと溶接し、この支柱へねじ込んだ調整ナット体の上に、支柱パイプがねじ止めにより固定されている。前記支柱パイプの上部には、合成樹脂成形品であって上部を内外に折り返した２重筒状をなし円筒部の中間に水平方向のピン通し筒部を備えたジョイント部材と、及び金属製で天井壁を有するキャップ状の支柱固定部とをそれぞれ内外二重に嵌め込み、かしめピンを水平方向に貫通させて固定している。床パネルを支持する上板部材とお椀形状の下板部材とをスポット溶接で一体化したパネル受部は、下板部材の中心の孔を前記支柱固定部に嵌めて、その下端のフランジ部で支持されている。
【０００６】
特許文献５に開示された支持脚は、床パネルの床高さの調節をワンタッチ的に行うため、ベースプレートと支柱とをアルミダイキャスト製品として一体成形し、また、パネル受部も前記支柱とねじ接合する雌ねじ部材と合一にアルミダイキャスト製品として一体成形する。そして、前記ボルトの雄ねじ部、及び前記雄ねじ部の一部をそれぞれ軸線方向に切欠き、そこに回転防止用のクサビを差し込む構成とされている。
【０００７】
【特許文献１】特開平１０−１２１７０５号公報
【特許文献２】特開２００３−１２０００６号公報
【特許文献３】特開平６−５７９１８号公報
【特許文献４】特開平６−１０４８７号公報
【特許文献５】特開２０００−９６８１１号公報
【発明の開示】
【発明が解決しようとする課題】
【０００８】
上記特許文献１に開示された支持脚は、プレス加工と溶接の工程を組み合わせて製造されている。しかし、溶接は、一つ一つ溶接する手間に加え、仕上げにケレン処理が必要であるなど、生産性低下の要因となる。他方、支持脚の高さ調節代は、前記下板部材が下方に膨出している深さによって制限され１０数ｍｍ前後と小さい。
【０００９】
特許文献２に開示された支持脚は、長ナットにより床パネルの高さ調節代を大きくした構成であるが、長ナットは溶接により下板部材に接合されているので、仕上げ手間等の問題がある。
【００１０】
特許文献３に開示された支持脚は、溶接を用いないで製造され、また、床パネルの床高さの調節をパイプ材の長さ限度に広範囲に行える点で注目される。しかし、パイプ材の上部外周に鍔状部を２段階に形成して下板部材のかしめ接合を行う構成なので、技術的に難しく、手間がかかるので生産性が悪い。また、上板部材が下板部材とは完全に分離独立しているので、現場での使用に際して、上板部材等の数合わせや持ち運びが面倒であり、使い勝手が悪い。
【００１１】
特許文献４に開示された支持脚は、特許文献１、２の支持脚と同様、製造に溶接を用いるという問題点がある。また、合成樹脂成形品のほか、カシメピンその他多数の部品類を用いて製造するので、部品コストが嵩むし、組み立てが面倒で生産性が悪いという欠点がある。
【００１２】
特許文献５に開示された支持脚は、アルミダイキャスト製品を多用しているので高価なものになってしまう。
【００１３】
本発明の目的は、床基盤の不陸に対して床パネルの床高さの調節が広範囲にでき、構造を簡単にし、且つ部品数を少なくして製造コストの低減を可能にし、更に、製造工程に溶接を無用とし、プレス加工のみで製造ができる、フリーアクセスフロア用床パネルの支持脚を提供することである。
【課題を解決するための手段】
【００１４】
上記従来技術の課題を解決するための手段として、請求項１に記載した発明に係るフリーアクセスフロア用床パネルの支持脚は、
床基盤上に設置して床パネル１３を所定の床高さに支持する支持脚であって、該支持脚は、床基盤上に載置されるベースプレート１と、前記ベースプレート１に下端を固定して垂直に立てられた外周に雄ねじを有する支柱２と、前記支柱２へねじ接合されたパネル受部３とから成り、
前記パネル受部３は、床パネル１３のコーナー部が載置される上板部材４と、支柱２とねじ接合する雌ねじ部８’を備え前記上板部材４を支持する下板部材５とから成ること、
前記下板部材５は、１枚の鋼板の冷間深絞りと据え込みのプレス加工により成形されており、前記上板部材４と水平に重ね合わされる水平板部６と、該水平板部６に連続してその中央部を下向きに突き出された漏斗状部７と、漏斗状部７の下端に円筒状に形成され内周面に雌ねじ８’を加工された円筒部８とから成り、該円筒部８の板厚は前記漏斗状部７の板厚よりも厚く据え込み成形されていることを特徴とする。
【００１５】
請求項２に記載した発明は、請求項１に記載したフリーアクセスフロア用床パネルの支持脚において、
前記漏斗状部７は、逆円錐台形状に形成されていることを特徴とする。
【００１６】
請求項３に記載した発明は、請求項１又は２に記載したフリーアクセスフロア用床パネルの支持脚において、
前記上板部材４は、上方から見ると十字状をなす隆起部９と、前記下板部材５に当接する平坦部１０とを有し、前記十字状隆起部９の交点部に下向きの円筒部１８が形成され、該円筒部１８の内周面に雌ねじが加工されていることを特徴とする。
【００１７】
請求項４に記載した発明は、請求項３に記載したフリーアクセスフロア用床パネルの支持脚において、
前記上板部材４と下板部材５とは、上板部材４の平坦部１０の位置を下向きのスポット的なかしめ接合１１により一体的に接合されていることを特徴とする。
【００１８】
請求項５に記載した発明は、請求項４に記載したフリーアクセスフロア用床パネルの支持脚において、
前記かしめ接合１１は、下板部材５の水平板部６に下孔をあけ、該下孔の位置で上板部材４を下孔の口縁内に沿って延伸し、該延伸部４’の先端を前記下板部材５の下面側に折り返した構成であることを特徴とする。
【発明の効果】
【００１９】
請求項１〜５に記載した発明に係るフリーアクセスフロア用床パネルの支持脚は、パネル受部３を構成する下板部材５が、中央部を下向きに突き出された漏斗状部７の存在によって、床パネル１３の床高さの調節を広範囲に行うことができる。したがって、床基盤の不陸に対して用意するべき有効高さの異なる支持脚の種類を少なく、又は無用にできるので、使用上の使い勝手が良く、作業能率の向上に寄与できる。
また、下板部材５は、プレス加工により一体成形され、支柱２へねじ接合する雄ねじ８’を円筒部８に備えた構成であり、ナットを使用していないのでナットを取り付け固定する工程を省略でき、部品点数の削減ができる。円筒部８は、冷間深絞りと据え込みにより厚肉とされているので、内周面に雌ねじを加工しても、床の上載荷重に耐えることができる。
請求項２に記載した支持脚は、漏斗状部７が逆円錐台形状であるので、当該部分の板厚が薄くても耐荷重能力が高い。
請求項４、５に記載した支持脚は、パネル受部３を構成する上板部材４と下板部材５とはかしめ接合１１で一体化され、パネル受部３の製造に溶接は一切使用されず、プレス加工のみにて製造されるから、高速の製造が可能であり、生産性が高い分コストダウンが図れる。
【発明を実施するための最良の形態】
【００２０】
床基盤上に載置されるベースプレート１と、前記ベースプレート１に下端を固定して垂直に立てられた支柱２と、前記支柱２へねじ接合された略水平なパネル受部３とで支持脚を構成する。パネル受部３は、床パネル１３のコーナー部が載置される上板部材４と、支柱２とねじ接合する雌ねじ部を備え前記上板部材４を支持する下板部材５とから成るものとしている。前記下板部材５は１枚の鋼板の冷間深絞りと据え込みのプレス加工により成形し、上板部材４と水平に重ね合わされる水平板部６と該水平板部６に連続してその中央部を下向きに突き出された漏斗状部７と、漏斗状部７の下端に円筒状に形成され内周面に雌ねじを加工された円筒部８とから成るものとし、該円筒部８の板厚は前記漏斗状部７の板厚よりも厚く据え込み成形する。
【実施例１】
【００２１】
図１は、本発明に係るフリーアクセスフロア用床パネルの支持脚の実施例を斜視図として示す。この支持脚は、コンクリート床基盤上に設置して、４枚の床パネルのコーナー部を所定の床高さに支持する構成である。この支持脚の使用状態を図２に示したように、コンクリート床基盤２０上に載置されるベースプレート１と、前記ベースプレート１に下端を固定して垂直に立てられた支柱２と、前記支柱２へねじ接合された略水平なパネル受部３とで構成されている。前記ベースプレート１は、フリーアクセスフロアを構築するべきコンクリート床基盤２０上に接着材等を使用して接着しその位置が固定される。
【００２２】
パネル受部３は、床パネル１３の各コーナー部を載置する上板部材４と、前記支柱２とねじ接合する雌ねじ部８’を備え前記上板部材４を支持する下板部材５の２部品で構成されている。図示した上板部材４はプレス成形されて成り、図１及び図３がわかりやすい通り、上方から見ると円形であり、十字状に均等高さで突出した隆起部９を有している。前記十字状隆起部９の相互間に４個の直角凹み部１２が形成され、各直角凹み部１２の底面として下板部材５に当接する平坦部１０を有している。前記十字状隆起部９の交点位置に円形の凹み部１７が形成され、その底面中央部から下向きの円筒部１８が形成され、該円筒部１８の内周面に雌ねじが加工されている（以上、請求項３記載の発明）。
もっとも、上板部材４は、直接床パネル１３の各コーナー部が載置される（又は受ける）部材であるから、十字状隆起部９を有することは必須条件でなく、特許文献３又は４の如く単なる平板形状等であっても良い。
【００２３】
下板部材５は、周辺部に上記上板部材４の平坦部１０と水平に重ね合わされる水平板部６を有し、この水平板部６に連続して中央部から下向きに逆円錐台形状に突き出された漏斗状部７を有し、更に、前記漏斗状部７の下端には円筒部８が形成され、その内周面に雌ねじ８’が加工されている。前記雌ねじ８’を前記支柱２へねじ接合する構成である。この下板部材５も１枚の鋼板の冷間深絞りと据え込みのプレス加工のみにより成形されている。特に前記円筒部８の板厚は内周面に雌ねじを加工するので、床の上載荷重に耐えることができるように、厚く据え込み成形されている。  
【００２４】
上板部材４と下板部材５とは、上板部材４の４箇所の平坦部１０の位置をかしめて一体的に接合されている。図示例の場合は、図３に示したように、下板部材５の水平板部６の該当位置に下孔をあけ、この下孔の位置で上板部材４を下孔の口縁内に沿って延伸させ、同延伸部４’の先端を下板部材５の下面側に折り返した、所謂スポット的なかしめ接合１１（又ははぜ折りタイプ）により一体的に結合されている。但し、上板部材４と下板部材５とは、特許文献３のように分離独立した構成で実施することもできる（以上、請求項４及び請求項５記載の発明）。
【００２５】
したがって、パネル受部３は、上板部材４と下板部材５の成形及び組み立て製造に溶接を一切使用していない。よって、溶接を必要としない分高速の製造が可能であり、生産性が高くコストダウンを図ることができる。しかも上板部材４及び下板部材５は共に冷間加工で成形しているので強度が大で、仕上がりの形状・寸法が正確なものとなり、且つ表面が平滑化されたものとなる。
【００２６】
上記構成のパネル受部３は、図２のように下板部材５の円筒部８の雌ねじ部８’を支柱２へねじ接合して支持脚が完成され使用される。床パネル１３の周辺部に形成されたフランジ部１４は前記十字状隆起部９へ２等分した幅寸法で載置され、床パネル１３の下面板１３ｂが前記直角凹み部１２の側面及び平坦部１０に当接して載置される。上記構成のかしめ接合１１は、床パネル１３の下面１３ｂが平坦部１０に載置される際の支障とならない。
床パネル１３の上面板１３ａのコーナー部には、平坦面から若干の段差で垂れ下がった形状の止めねじ受部１６が形成されており、該止めねじ受部１６を前記円筒凹み部１７へ密着する状態に嵌め込んだ上で、前記円筒部１８へ締結材１９をねじ込んで床パネル１３を固定する。
【００２７】
床パネル１３の高さは、前記下板部材５の前記円筒部８に形成された雌ねじ部８’を左右にねじ回すことで調節することができる。その場合、少なくとも前記逆円錐台形状の漏斗状部７と円筒部８を加算した有効長さと同等の長さ範囲だけ調節できるので、床高さの調節を広範囲に行うことができる。したがって、従来必要であった有効高さが異なる多種類の支持脚をそれぞれ多数用意して床施工に臨む必要はなく、使用上の使い勝手が良く、作業能率の向上に寄与できる（以上、請求項２記載の発明）。
【実施例２】
【００２８】
なお、前記漏斗状部７は、上述した逆円錐台形状が最も好適な実施形状とされるが、この限りではない。例えば図４に例示したように、お椀形状に近い形態でも実施して同様の作用効果を得ることができる。
また、前記支柱２は、必ずしも全高さにわたってねじ切りする必要はなく、例えば、上端部分のみでもよい。
【図面の簡単な説明】
【００２９】
【図１】本発明に係る支持脚を示した斜視図である。
【図２】支持脚に床パネルを支持させた際の構造関係を左半分を断面にして示した立面図である。
【図３】図１の支持脚の平面図である。
【図４】異なる実施例の支持脚に床パネルを支持させた際の構造関係を左半分を断面にして示した立面図である。
【符号の説明】
【００３０】
１    ベースプレート
２    支柱
３    パネル受部
４    上板部材
５    下板部材
６    水平板部
７    漏斗状部
８    円筒部
９    十字状隆起部
１０  平坦部
１１  かしめ接合
【図１】
2005290672.tif 000003
【図２】
2005290672.tif 000004
【図３】
2005290672.tif 000005
【図４】
2005290672.tif 000006